(57)【要約】【課題】サンプル交換によるバックライト内部の温度変化が引き起こす測定値の変化を防止し、光学部材の光学測定を短時間できるバックライト装置を提供する。【解決手段】光源１１と、光拡散箱１３と、光拡散箱１３に設けられた開口部１７と、開口部１７を閉塞する透光性蓋部材１４と、光源１１の光を光拡散箱１３内に導く光ファイバ１２とを備え、光拡散箱１３の内面を、光ファイバ１２を通して入射される光を拡散し反射させて透光性蓋部材１４を通し出射させる光拡散反射層１８により構成した。【選択図】図２
2009277614.tif 000002
【特許請求の範囲】
【請求項１】
光源と、
光拡散箱と、
前記光拡散箱に設けられた開口部と、
前記開口部を閉塞する透光性蓋部材と、
前記光源の光を前記光拡散箱内に導く光ファイバとを備え、
前記光拡散箱の内面は、前記光ファイバを通して入射される光を拡散し反射させて前記透光性蓋部材を通して出射させる光拡散反射層により構成されている、
ことを特徴とするバックライト装置。
【請求項２】
前記光源がハロゲンランプ、キセノンランプ、ＬＥＤ、レーザーの何れかであることを特徴とする請求項１記載のバックライト装置。
【請求項３】
前記透光性蓋部材が光拡散材からなることを特徴とする請求項１記載のバックライト装置。
【請求項４】
前記光拡散箱は、前記透光性蓋部材の光出射面に載置される被測定用光学部材を保持する保持具を備えることを特徴とする請求項１記載のバックライト装置。
【請求項５】
請求項１ない４の何れか１項に記載のバックライト装置と、
前記透光性蓋部材に対向して配置された光測定器と、
を備えることを特徴とする光測定装置。
【請求項６】
前記光測定器は前記透光性蓋部材の光出射面上の一点を中心に回転するように設けられていることを特徴とする請求項５記載の光測定装置。
【請求項７】
前記バックライト装置は、前記光拡散箱を前記透光性蓋部材の光出射面と平行な方向に延在する軸を中心に回転するように設けられていることを特徴とする請求項５記載の光測定装置。
【発明の詳細な説明】
【技術分野】
【０００１】
本発明は、主に液晶表示素子を用いたディスプレイ装置の照明光路制御に使用される光学部材の光学測定に好適なバックライト装置及び光測定装置に関する。
【背景技術】
【０００２】
バックライトの方式には、大別して冷陰極管（ＣＣＦＴ：Cold Cathode Fluorescent Tube）等の光源を光透過性に優れたアクリル樹脂等からなる平板状の導光板の側端部に沿って取り付け、光源からの光を導光板内で多重反射させる導光板ライトガイド方式、いわゆるエッジライト方式と、導光板を用いず液晶パネルの背面に光源を配置した直下型方式とがある。
【０００３】
最近では、ノート型パーソナルコンピュータや携帯情報端末などに用いられる２０インチ以下の画面サイズの小型液晶表示装置には、低消費電力化が図れ、薄型化の容易なエッジライト方式の採用が主流となり、２０インチ以上の画面サイズの中ないし大型の液晶表示装置では直下型方式の採用が主流となっている。
【０００４】
従来、光学部材の高額測定に用いられるバックライト装置としては、図１に示すように、複数本の棒状の冷陰極ランプ（ＣＣＦＬ）１を同一平面上に定間隔で配列し、これら冷陰極管１の背面には、これら冷陰極ランプ１を背面から覆うようにして反射部材２が配置される。そして、冷陰極ランプ１の光出射側である反射部材２の開口部２ａには、これを覆うように反射部材が設けられている。この拡散板３は、冷陰極ランプ１の輝度ムラを緩和し、均一な光源とするために使用される。また、拡散板３の光出射面上には種々の光学シート４が配置されている。この光学シート４には、例えば拡散シート、レンズシート、偏光分離シートやこれらを適宜組み合わせたものが使用される。
【０００５】
レンズシートとしては、例えばＲＢＥＦ（３Ｍ社製）が挙げられ、偏光分離シートとしてはＤＢＥＦ（３Ｍ社製）が挙げられる。これらの光学シートのうち、拡散シートやレンズシートは、拡散板のみでは完全に消すことができなかった冷陰極ランプの光ムラを消し、拡散光を集光させて正面輝度を上げる役割を果たす。また、偏光分離シート（ＤＢＥＦ）は、バックライト光をＰ偏光とＳ偏光に分離して、液晶パネルの下側の偏光板を透過しない偏光光を反射させることでその偏光光を再利用し、これにより、液晶の輝度を上げることができる。
光学シート４の輝度測定を行う場合は、図１に示すように、バックライト装置の光出射面上に光学シート４をセットし、この光学シート４上に液晶パネル５を被せた後、液晶パネル５の上方に配置した輝度計６を用いて輝度の測定を行う（特許文献１参照）。
【特許文献１】特許第３６４２７２３号
【発明の開示】
【発明が解決しようとする課題】
【０００６】
ところで、光学部材の輝度測定を行う場合、バックライト装置の内部及び測定環境の温度変化に特に注意を払わなければならない。特にバックライト装置に用いるランプ（ＣＣＦＬ）は、温度特性が大きく、測定環境の温度が変化するとランプの輝度が変化してしまう。もし、密閉した環境で測定を行った場合、バックライト装置の発熱による温度上昇で、初期の測定値と数時間後の測定値に差が生じる可能性がある。従って、バックライト装置を用いて輝度測定を行う場合は必ず厳密に温度管理を行った状態のもとで測定を行わなければならない。
【０００７】
また、バックライト装置を用いて光学部材（光学シート）の輝度測定を行う場合は、液晶パネルを開いて測定サンプルを交換し、再び液晶パネルを閉じてから測定を開始するという煩雑な作業が必要であり、さらに液晶パネルを開けることによるバックライト装置内部の温度変化や、サンプル交換によりバックライト装置に加わる振動や衝撃によりランプの輝度安定性が損なわれるという問題がある。
また、一度測定サンプルを交換したら、バックライト装置内部の温度が安定するまで数十分から１時間程度の待ち時間が必要になり、ランプの輝度が安定したら始めて測定が可能になる。このような方法では、数量の多いサンプルを測定する場合に非常に時間がかかり著しく不都合である。
【０００８】
本発明は、上記のような従来の問題を解決するためになされたもので、光学部材の光学測定において、サンプル交換によるバックライト内部の温度変化が引き起こす測定値の変化を防止し、光学部材の光学測定を短時間で行うことができるバックライト装置及びこれを用いた光測定装置を提供することが目的とする。
【課題を解決するための手段】
【０００９】
上記の目的を達成するために請求項１の発明は、バックライト装置であって、光源と、光拡散箱と、前記光拡散箱に設けられた開口部と、前記開口部を閉塞する透光性蓋部材と、
前記光源の光を前記光拡散箱内に導く光ファイバとを備え、前記光拡散箱の内面は、前記光ファイバを通して入射される光を拡散し反射させて前記透光性蓋部材を通して出射させる光拡散反射層により構成されていることを特徴とする。
【００１０】
請求項２の発明は、請求項１記載のバックライト装置において、前記光源がハロゲンランプ、キセノンランプ、ＬＥＤ、レーザーの何れかであることを特徴とする。
請求項３の発明は、請求項１記載のバックライト装置において、前記透光性蓋部材が光拡散材からなることを特徴とする。
請求項４の発明は、請求項１記載のバックライト装置において、前記光拡散箱は、前記透光性蓋部材の光出射面に載置される被測定用光学部材を保持する保持具を備えることを特徴とする。
【００１１】
請求項５の発明は、光測定装置であって、請求項１ない４の何れか１項に記載のバックライト装置と、前記バックライト装置に前記透光性蓋部材に対向して配置された光測定器とを備えることを特徴とする。
請求項６の発明は、請求項５記載の光測定装置において、前記光測定器は前記透光性蓋部材の光出射面上の一点を中心に回転するように設けられていることを特徴とする。
請求項７の発明は、請求項５記載の光測定装置において、前記バックライト装置は、前記光拡散箱を前記透光性蓋部材の光出射面と平行な方向に延在する軸を中心に回転するように設けられていることを特徴とする。
【発明の効果】
【００１２】
本発明のバックライト装置及びこれを用いた光測定装置によれば、光源と光拡散箱を分離し、光源からの光を光ファイバを通して光拡散箱へ入射し、入射された光を光拡散反射層により拡散し反射させて開口部から透光性蓋部材を通して出射するように構成し、かつ開口部が透光性蓋部材で閉塞される構成にしたので、被測定用光学部材のサンプル交換によるバックライト内部の温度変化を防止でき、被測定用光学部材の輝度などの光学的測定を短時間で行うことができる。
【発明を実施するための最良の形態】
【００１３】
以下、本発明にかかるバックライト装置及びこれを用いた光測定装置の実施の形態について図面を参照して詳細に説明する。
図２は本発明にかかるバックライト装置及びこれに光測定器を組み合わせて光測定装置を構成した場合の実施の形態を示す概略斜視図であり、図３は発明にかかるバックライト装置の縦断側面図である。
【００１４】
バックライト装置１０は、図２に示すように、光源１１と、光拡散箱１３と、光源１１の光を光拡散箱１３内に導く光ファイバ１２とを備えて構成される。
光源１１には、ハロゲンランプ、キセノンランプ、ＬＥＤ、レーザー発光素子などが使用される。これらの発光源はハウジング内に収納され、そして、これら発光源から発する光が効率良く光ファイバ１２に入射できるように構成されている。
光ファイバ１２には、石英ファイバ、多成分ガラスファイバ、プラスチックファイバなどを用いられる。
【００１５】
光拡散箱１３は、図２及び図３に示すように、矩形状の底板１３ａと、この底板１３ａの四辺に沿って設けられた側壁１３ｂを有し、かつ上面が開放された直方体形状を呈しており、この開放された箇所が光出射用の開口部１７を構成する。
開口部１７は、平板状の透光性蓋部材１４により閉塞されている。
また、光拡散箱１３の内面、すなわち底板１３ａの内面及び側壁１３ｂの内面は、光ファイバ１２を通して入射される光を拡散し反射させて透光性蓋部材１４を通して出射させる光拡散反射層１８により覆われるように構成されている。
なお、光源１１と光拡散箱１３との間を光ファイバ１２で連結することにより、光源１１と光拡散箱１３を互いに分離して配置することが可能になる。この場合、光ファイバ１２の一端が光源１１にその光出射部分に対向して連結され、光ファイバ１２の他端は光拡散箱１３の側壁１３ｂを貫通するようにして側壁１３ｂに固定され、光拡散箱１３内に光が出射されるようになっている。
【００１６】
透光性蓋部材１４上には、図３に示すように、測定サンプルとして、各種の被測定用の光学シート１９が載置される。
また、透光性蓋部材１４の周囲に対向する光拡散箱１３の箇所には、図３に示すように、光学シート１９を透光性蓋部材１４上に固定状態に保持するためのクレンメルのような複数のサンプル保持具１６が設けられている。
一方、透光性蓋部材１４の上方には、透光性蓋部材１４上に載置されたサンプル用光学シート１９の輝度等の光学特性を測定する光測定器１５が配置されている。これにより、光測定装置を構成できる。
【００１７】
光拡散反射層１８には、発砲ＰＥＴ（ポリエチレンテレフタレート）のような白色反射シートや、硫酸バリウムのコーティング、四フッ化エチレンのような高反射性白色樹脂や酸化アルミニウムのような白色セラミクスを成型、焼結したものを用いても良い。また、光ファイバ１２を通しての光のムラを緩和するためにも、なるべく反射率が高く、拡散効果の高い材料を用いるのが望ましい。
また、透光性蓋部材１４は、外気中の水分吸着による光拡散反射層１８の劣化や、汚れの付着による反射率の低下を防止するためのものであり、これには光透過性のガラス板や光透過性の樹脂板が用いられる。この場合、透明な材質のものでも良いし、または光拡散性のある材質のものを用いても良い。光拡散性の蓋部材１４を用いた場合、透明な蓋部材１４を用いた場合と比べて光ファイバ１２を通しての光のムラを緩和することができる。蓋部材１４の材料に関しては、光透過性があり、ある程度強度があるものであれば、特に制限されない。
【００１８】
光測定器１５には、例えば色彩輝度計、或いは分光放射輝度計を用いられる。
光学シートの正面方向の光学特性を測定する場合は、図４（ａ）に示すように、光測定器１５を透光性蓋部材１４に対して鉛直線Ｌ上に配置し固定して測定を行う。
また、光学シートの光学特性の角度分布を測定する場合は、光測定器１５を回転ステージ（図示せず）に設置し、この光測定器１５を回転ステージごと図４（ｂ）に示すように、透光性蓋部材１４の光出射面上の一点Ｏを中心に回転するように構成する。これにより、光学特性の角度分布を測定することができる。
また、光学シートの光学特性の角度分布を測定する別の手法としては、光拡散箱１３を回転ステージに取り付け、この光拡散箱１３を回転ステージごと透光性蓋部材１４の光出射面と平行な方向に延在する軸Ｌ２を中心に回転するように構成する。これにより、光学特性の角度分布を測定することができる。
【００１９】
図５は、測定サンプルである被測定用光学シート１９の一例を示すもので、透光性基材２０と、この透光性基材２０の一方の面である光出射面２０ａに一定のピッチで配列したシリンドリカルレンズからなる複数の単位レンズ２１と、透光性基材２０の光出射面２０ａと反対の面である光入射面２０ｂの各単位レンズ２１の集光部分に位置する箇所に設けられた複数の開口部２２、及び光入射面２０ｂの各単位レンズ１６の非集光部分に位置する箇所に設けられた複数の反射層２３とを含んで構成されている。
なお、測定サンプル用の光学部材は、上記した光学シート１９に限定されない。
【００２０】
このような本実施の形態に示すバックライト装置及びこれを用いた光測定装置によれば、光源１１と光拡散箱１３を分離し、光源１１からの光を光ファイバ１２を通して光拡散箱１３へ入射し、入射された光を光拡散反射層１８により拡散し反射させて開口部１７から透光性蓋部材１４を通して出射するように構成し、かつ開口部１７は透光性蓋部材１４で閉塞される構成にしたので、被測定用光学シートのサンプル交換によるバックライト内部の温度変化を防止でき、被測定用光学しーとの輝度などの光学的測定を短時間で行うことができる。
【００２１】
（実施例１）
次に、本発明の実施の形態に示したバックライト装置と一般的な直下型ＣＣＦＬバックライト装置を用いて光学シートの輝度を測定した時の実施例について説明する。
以下の条件でバックライト装置を試作した。
光源にハロゲンランプを用い、光ファイバに石英ファイバ（φ＝５ｍｍ）を用いた。
光拡散箱において、光拡散反射層をプラスチック板に白色発泡ＰＥＴフィルムを貼り付けて作成した。光拡散箱の形状を、１００ｍｍ×１００ｍｍ×３０ｍｍとした。また、透光性蓋部材に透明ガラス用いた。
光測定器にＴＯＰＣＯＮ製色彩輝度計（ＢＭ７）を使用し、この光測定器を透光性蓋部材に対し鉛直な線上に設置し固定した。
また、測定に用いる光学シートには、図５に示すような構成の反射層付きレンズシート、すなわち光学シートを用いた。この光学シートは、反射層の開口率を変更することで、自由に正面輝度を変えられることが特徴である。今回、開口率の異なる７種類の反射層付きレンズシートを用意し、正面輝度の測定を行った。
また、測定に用いた光学シートの反射層の開口部を広げた場合、傾斜角の大きな光が単位レンズ内部へ入射するため、拡散性が増加し、正面輝度が低下する。一方、反射層の開口部を狭めた場合、傾斜角の小さな光のみが単位レンズ内部へ入射するため、拡散性が低下し、正面輝度が上昇する。
【００２２】
開口率の異なる光学シートの正面輝度に関して、本発明のバックライト装置を用いた場合の測定値と、一般的な直下型CCFLバックライト装置を用いた場合の測定値の相関を図６に示す。
光学シートの正面輝度は、リファレンス用レンズシートに対する比として表している。その結果、図６の相関グラフの傾きが１に近い値となり、本発明のバックライト装置を用いて光学シートの輝度を測定しても、一般的なバックライト装置を用いた場合と同等の測定結果が得られることが示された。
【図面の簡単な説明】
【００２３】
【図１】従来における直下型ＣＣＦＬバックライト装置の構成と光測定器の配置関係を示す説明図である。
【図２】本発明にかかるバックライト装置の構成と光測定器の配置関係を示す斜視図である。
【図３】本発明にかかるバックライト装置の縦断側面図である。
【図４】本発明にかかるバックライト装置を用いた光測定装置の概略構成図である。
【図５】反射層付き光学シートの構成図である。
【図６】本発明のバックライト装置と一般的なバックライト装置とを用いた時の光学シートの輝度比を比較した場合の結果を示す相関グラフである。
【符号の説明】
【００２４】
１０……バックライト装置、１１……光源、１２……光ファイバ、１３……光拡散箱、１４……透光性蓋部材、１５……光測定器、１６……サンプル保持具、１７……開口部、１８……光拡散反射層、１９……光学シート、２０……基材、２１、単位レンズ、２２……開口部、２３……反射層。
【図１】
2009277614.tif 000003
【図２】
2009277614.tif 000004
【図３】
2009277614.tif 000005
【図４】
2009277614.tif 000006
【図５】
2009277614.tif 000007
【図６】
2009277614.tif 000008